(57)【要約】【課題】医療従事者が患者の容体を迅速かつ的確に把握することができる生体情報表示装置を提供すること。【解決手段】生体情報の波形Ｗ１、Ｗ２、Ｗ３、Ｗ４と、波形Ｗ１、Ｗ２、Ｗ３、Ｗ４に対応する生体情報の計測値とを重ねて表示するようにしたことにより、波形の表示領域を大きくできるとともに波形と計測値との対応関係を把握し易くなるので、医療従事者が患者の容体を迅速かつ的確に把握することができる生体情報モニタを実現できる。【選択図】図３
2017148364.tif 000002
【特許請求の範囲】
【請求項１】
計測された波形及び計測値を含む画像を同一画面に表示する生体情報表示装置であって、
前記画像を表示するディスプレイと、
計測された波形と、所定の計測値が前記ディスプレイに重ねて表示されるように制御する表示制御部と、
を具備する生体情報表示装置。
【請求項２】
前記計測された波形に重ねて表示される前記所定の計測値は、前記計測された波形に対応する計測値である、
請求項１に記載の生体情報表示装置。
【請求項３】
前記計測された波形に重ねて表示される前記所定の計測値は、臨床の場に応じて選択設定された計測値である、
請求項１に記載の生体情報表示装置。
【請求項４】
前記計測された１つの波形に、複数の計測値が重ねて表示される、
請求項１に記載の生体情報表示装置。
【請求項５】
前記表示制御部は、前記波形を所定のレイヤに配置するとともに、前記計測値を前記波形を配置したレイヤよりも前面側のレイヤに配置する、
請求項１から請求項４のいずれか一項に記載の生体情報表示装置。
【請求項６】
前記計測値の透明度は調整可能である、
請求項１から請求項５のいずれか一項に記載の生体情報表示装置。
【請求項７】
前記表示制御部は、アラーム時には、前記計測値の透明度を小さくすることで前記計測値を目立たせる、
請求項１から請求項６のいずれか一項に記載の生体情報表示装置。
【請求項８】
前記表示制御部は、アラーム時には、前記波形を背景色と同系色の濃さになるように調整することで前記波形を目立たなくする、
請求項１から請求項７のいずれか一項に記載の生体情報表示装置。
【請求項９】
前記表示制御部は、対応する前記波形と前記計測値の色は同じ系統となるように表示し、アラーム時には、前記計測値の色を変更する、
請求項１から請求項８のいずれか一項に記載の生体情報表示装置。
【発明の詳細な説明】
【技術分野】
【０００１】
本発明は、生体情報モニタ等の生体情報表示装置に関する。
【背景技術】
【０００２】
生体情報モニタは、心電図、血圧及び酸素飽和度などの生体情報を計測し、その計測値及び波形をディスプレイに一括表示することができる。生体情報モニタの例としては、病室などのベッドサイドに設置して使用されるベッドサイドモニタやナースステーションなどに設置して使用されるセントラルモニタなどがある。
【０００３】
生体情報モニタに表示された計測値及び波形を見ることで、医療従事者（医師及び看護師など）は、患者の容体を把握することができる。また、生体情報モニタは一般に、計測値の異常などが生じたときにアラーム音などにより異常を通知するアラーム機能を有するため、医療従事者は、患者の異常を即座に知ることができる。
【０００４】
生体情報モニタには、上記アラーム機能のほかにも、不整脈解析を行う機能、長期間（または長時間）における計測値の経過を表示する機能、または使用環境に応じた画面を選択して表示させる機能など、様々な機能が付加される場合がある。このように、近年では多機能化あるいは高機能化が進んでいる。
【０００５】
従来の生体情報モニタにおいては、上記のように機能的な多様化及び高度化が進んでいるだけでなく、画面の表示態様も多様化してきている。例えば特許文献１記載の装置では、アラームの種別又は緊急度を示す画面を表示させる。さらに、例えば特許文献２記載の装置では、一部の表示領域に、モニタリング中の複数患者のうち特定患者についてのモニタリング用画面を表示させ、別の表示領域に、モニタリング用画面を表示すべき患者を特定するための設定操作用画面を表示させる。
【先行技術文献】
【特許文献】
【０００６】
【特許文献１】特開２００８−２００１１１号公報
【特許文献２】特開２００２−２６３０７０号公報
【発明の概要】
【発明が解決しようとする課題】
【０００７】
ところで、医療従事者が患者の容体を迅速かつ的確に把握するためには、計測波形及び計測値が広い領域に表示されることが好ましい。しかしながら、１画面に表示させる生体情報の種類が多くなるほど、及び、１画面に表示させる生体情報以外の画像（操作設定用の画像など）が多くなるほど、計測波形及び計測値を表示する領域が小さくなってしまい、不都合であると考えられる。
【０００８】
特に、可搬型の生体情報モニタのように画面サイズが小さい場合には、計測波形及び計測値を表示するための領域が小さくなり、計測波形及び計測値の視認性が益々悪くなる。
【０００９】
本発明は、以上の点を考慮してなされたものであり、医療従事者が患者の容体を迅速かつ的確に把握することができる生体情報表示装置を提供する。
【課題を解決するための手段】
【００１０】
本発明の生体情報表示装置の一つの態様は、
計測された波形及び計測値を含む画像を同一画面に表示する生体情報表示装置であって、
前記画像を表示するディスプレイと、
計測された波形と、所定の計測値が前記ディスプレイに重ねて表示されるように制御する表示制御部と、
を具備する。
【発明の効果】
【００１１】
本発明によれば、波形の表示領域を大きくできるとともに波形と計測値との対応関係を把握し易くなるので、医療従事者が患者の容体を迅速かつ的確に把握することができる生体情報表示装置を実現できる。
【図面の簡単な説明】
【００１２】
【図１】実施の形態に係る生体情報モニタの構成を示すブロック図
【図２】従来の表示形態を示す図
【図３】実施の形態の表示形態を示す図
【図４】実施の形態のレイヤ構造を示す図
【図５】他の実施の形態の表示形態を示す図
【発明を実施するための形態】
【００１３】
以下、本発明の実施の形態について、図面を参照して詳細に説明する。
【００１４】
＜構成＞
図１は、本発明の実施の形態に係る生体情報モニタの構成を示すブロック図である。
【００１５】
生体情報モニタ１００は、コネクタ部１０１を有する。コネクタ部１０１は、患者に装着された生体情報検出部を生体情報モニタ１００に接続するためのコネクタである。コネクタ部１０１には、心電図を検出するための心電電極１１１、血圧を検出するための血圧測定用カフ１１２、体温を検出するための体温センサ１１３、ＳｐＯ２を検出するためのＳｐＯ２センサ１１４、及び心拍出量を検出するための心拍出量センサ１１５等の生体情報検出部が接続される。勿論、コネクタ部１０１には、これら以外の生体情報検出部が接続されてもよい。コネクタ部１０１は、接続された生体情報検出部と計測処理・アラーム処理部１０２との間のインタフェースとして機能する。
【００１６】
計測処理・アラーム処理部１０２は、所定の計測処理を実行することで、コネクタ部１０１に接続された生体情報検出部（心電電極１１１、血圧測定用カフ１１２、体温センサ１１３、ＳｐＯ２センサ１１４及び心拍出量センサ１１５）を用いて患者の生体情報を計測する。なお、上記生体情報検出部を用いた各種生体情報の計測方法については従来周知のものを適用可能であるため、ここではその詳細な説明を省略する。
【００１７】
計測値算出部１０３は、計測処理・アラーム処理部１０２で得られた計測結果を用いて各生体情報の計測値（最大値、最小値、平均値など）を算出し、算出した計測値を表示制御部１０６に送出する。波形形成部１０４は、計測処理・アラーム処理部１０２で得られた計測結果を用いて各生体情報の波形を形成し、形成した波形を表示制御部１０６に送出する。また、計測処理・アラーム処理部１０２は、得られた計測結果をアラーム閾値と比較することでアラーム判定を行う。
【００１８】
表示制御部１０６は、計測値算出部１０３で計測された計測値、及び波形形成部１０４で形成された波形を用いて、ディスプレイ１０７に表示させるための表示画像を形成し、その表示画像をディスプレイ１０７に表示させる。
【００１９】
ディスプレイ１０７は、例えばタッチパネル付き液晶表示器であり、生体情報を表示する表示機能を有するだけでなく、操作者による入力操作を受け付ける入力部としての機能も有する。具体的には、ディスプレイ１０７は、操作者によるタッチ操作に応じた操作信号を表示制御部１０６に送出することにより、ディスプレイ１０７の表示形式を変更できる。また、ディスプレイ１０７は、操作者によるタッチ操作に応じた操作信号を操作部１０８を介して計測処理・アラーム処理部１０２に送出することにより、計測モードの変更を行うことができる。
【００２０】
操作部１０８は、生体情報モニタ１００の筐体前面に設けられた操作ボタン（例えば電源スイッチ、測定開始／停止ボタン、データ記録ボタンなど）、及び生体情報モニタ１００に接続されたマウスやキーボードなどの操作入力部を含む。また、操作部１０８にはディスプレイ１０７からのタッチ操作情報が入力され、ユーザからのタッチ操作も合わせて出力する。操作部１０８からの操作信号により、表示制御部１０６での表示制御動作や、計測処理・アラーム処理部１０２での計測動作が制御される。
【００２１】
また、計測処理・アラーム処理部１０２は、計測した各生体情報を所定のアラーム閾値と比較するアラーム判定を行い、アラームが必要である判定結果を得た場合には、アラームインジケータ１０９、スピーカ１１０及び表示制御部１０６にアラーム指示信号を出力する。アラームインジケータ１０９は、生体情報モニタ１００の筐体上部に設けられており、アラーム指示信号が入力された場合に、例えば赤色に発光するようになっている。スピーカ１１０は、アラーム指示信号が入力された場合にアラーム音を出力する。表示制御部１０６は、アラーム指示信号が入力された場合に、ディスプレイ１０７にアラーム画像を表示させる。
【００２２】
＜表示画像＞
次に、図２及び図３を用いて、生体情報モニタ１００のディスプレイ１０７に表示される、本実施の形態における生体情報の表示形態について説明する。図２は従来の表示形態を示し、図３は本実施の形態による表示形態を示す。
【００２３】
図２に示すように、従来の表示形態では、画面１３０が、患者情報表示領域１３１、波形表示領域１３２、計測値表示領域１３３及びメニューバー表示領域１３４に分けられている。
【００２４】
波形表示領域１３２には、各生体情報の計測値の変動の様子が波形として描画される。この例では、心電図（ＥＣＧ）波形Ｗ１、酸素飽和度（ＳｐＯ２）波形Ｗ２、血圧（ＢＰ）波形Ｗ３及び呼吸波形（ＲＥＳＰ）Ｗ４が描画されている。描画対象の生体情報の種類及び描画位置は、設定操作により適宜変更可能である。
【００２５】
計測値表示領域１３３には、各生体情報の計測値が数字として描画される。この例では、心拍数（ＨＲ）、酸素飽和度（ＳｐＯ２）、血圧（ＢＰ）及び呼吸数（ＲＲ）の各計測値が描画されている。描画対象の生体情報の種類及び描画位置は、設定操作により適宜変更可能である。
【００２６】
メニューバー表示領域１３４における、メニューバーを構成する「ホーム」及び「メニュー」などの各矩形領域は、入力領域となっている。例えば、「メニュー」という表記を有する入力領域１３６に触れると、モニタリング全般の設定操作メニューを提示する設定操作用画面がサブ画面として表示される。
【００２７】
図２に示した従来の表示形態と比較して、図３に示す本実施の形態では、生体情報の波形と、各波形に対応する生体情報の計測値とを重ねて表示するようになっている。具体的には、心電図（ＥＣＧ）波形Ｗ１に心拍数「１６０」が重ねて表示され、酸素飽和度（ＳｐＯ２）波形Ｗ２に酸素飽和度「９２」が重ねて表示され、血圧（ＢＰ）波形Ｗ３に血圧値「１１６／７８」が重ねて表示され、呼吸波形（ＲＥＳＰ）Ｗ４に呼吸数「１５」が重ねて表示される。
【００２８】
これにより、計測値専用の表示領域（図２における計測値表示領域１３３）が不要となるので、その分だけ長時間の計測波形を表示できるようになり、医療従事者は患者の容体を把握し易くなる。実際上、生体情報モニタ１００は、図３に示したような全幅波形表示モード（波形・計測値重畳モードと言っても良い）にするか、或いは、図２に示したような波形・計測値分離モードにするかを、ユーザによって選択可能となっている。
【００２９】
また、本実施の形態においては、表示制御部１０６は、計測値の画像を図４に示す前面側のレイヤ２０１に配置するとともに波形の画像を背面レイア２０２に配置することで、計測値と波形との重ね合わせ表示を実現する。そして、前面側レイヤ２０１に配置された計測値の透明度はユーザによって調整可能とされている。また、本実施の形態の場合、背面レイヤに配置された波形は、色の濃さを調整可能とされている。
【００３０】
このように計測値を波形よりも前面のレイヤに配置したことにより、計測値を波形よりも目立つように表示させることができる。また、波形を計測値よりも目立たせないために、波形を背景色と同系色の濃さになるように調整してもよい。ここで、医療従事者は先ず患者の容体を判断するために計測値を見る場合が多い。本実施の形態では、計測値を波形よりも前面のレイヤに配置したことにより、波形と重ね合わせた場合でも計測値を目立たせることができるので、重ね合わせによる不都合を抑制できる。
【００３１】
また、本実施の形態では、計測値の透明度は調整可能となっている。これにより、波形を際立たせたい場合には、計測値の透明度を上げていけばよい。
【００３２】
また、本実施の形態では、波形と計測値が同じ位置に表示されるようになるので、従来のように波形の横に計測値を表示する場合と比較して、波形と計測値との対応関係を把握し易くなる。
【００３３】
また、各生体情報の種類毎に波形の色と計測値の色を同じ系統にすれば、波形と計測値との対応関係をより把握し易くなる。例えば、重ねて表示される心電図（ＥＣＧ）波形Ｗ１と心拍数「１６０」を共に緑色系統で表示し、重ねて表示される酸素飽和度（ＳｐＯ２）波形Ｗ２と酸素飽和度「９２」を共に黄色系統で表示し、重ねて表示される血圧（ＢＰ）波形Ｗ３と血圧値「１１６／７８」を共に橙色系統で表示し、重ねて表示される呼吸（ＲＥＳＰ）波形Ｗ４と呼吸数「１５」を共に白色系統で表示すればよい。
【００３４】
さらに、本実施の形態の波形と計測値との重ね合わせ表示を行えば、医療従事者を喚起し易いアラーム表示を行うことができるようになる。
【００３５】
例えば、計測値のサイズを大きくするといったアラーム表示を行うことができるようになる。つまり、図２に示したような従来の表示では、計測値表示領域１３３のサイズが決まってしまっているので、計測値のサイズを大きくするためには画面構成を変更しなければならず複雑であったのに対して、本実施の形態の表示では、計測値のサイズは画面構成にかかわらず自由に大きくできるので、計測値のサイズを大きくするといったアラーム表示を容易に行うことができる。
【００３６】
また、上述したように重ねて表示される波形と計測値の色を同じ系統とした場合には、アラーム指示があった際に計測値の色を変更するとよい。このようにすれば、医療従事者は、計測値の色が波形の色と異なったことを即座に認識でき、アラームの見落としを抑制できる。ここで、従来のアラーム表示の方法として、計測値の背景の色を変える方法があるが、本実施の形態の場合にはそのような方法を採用すると波形が隠れてしまうので、計測値の色を変更するといったアラーム表示が好ましい。アラーム発生時の計測値表示方法はユーザによって選択可能としてもよい。
【００３７】
また、アラーム時には、アラーム状態を強調するために計測値（又は計測値の背景色）の透明度を小さくするようにしてもよい。また、波形を背景色と同系色の濃さになるように調整して、波形を目立たせなくすることで、アラーム状態を強調するようにしてもよい。
【００３８】
以上説明したように、本実施の形態によれば、生体情報の波形と、波形に対応する生体情報の計測値とを重ねて表示するようにしたことにより、波形の表示領域を大きくできるとともに波形と計測値との対応関係を把握し易くなるので、医療従事者が患者の容体を迅速かつ的確に把握することができる生体情報モニタ１００を実現できる。
【００３９】
なお上述の実施の形態では、図３に示したように、計測された各波形Ｗ１、Ｗ２、Ｗ３、Ｗ４に、各波形Ｗ１、Ｗ２、Ｗ３、Ｗ４に対応する計測値を重ねて表示した場合、つまり、１つの波形に１つの計測値を重ねて表示した場合について述べたが、本発明はこれに限らず、１つの波形に複数の関連するパラメータの計測値を重ねて表示するようにしてもよい。
【００４０】
図５に、その表示形態を示す。図５の例では、心電図（ＥＣＧ）波形Ｗ１にＨＲ「６０」が重ねて表示され、血圧（ＢＰ）波形Ｗ２にＢＰ１「１１６／７７（６２）」が重ねて表示され、酸素飽和度（ＳｐＯ２）波形Ｗ３にＳｐＯ２値「９２」及びＮＩＢＰ値「１２０／８２（９９）」が重ねて表示され、呼吸波形（ＲＥＳＰ）Ｗ４にＲＥＳＰ値「３０」及びＥｔＣＯ２値「３８」が重ねて表示されている。このように、酸素飽和度（ＳｐＯ２）波形Ｗ３には、ＳｐＯ２値「９２」に加えてＮＩＢＰ値「１２０／８２（９９）」が重ねて表示され、呼吸波形（ＲＥＳＰ）Ｗ４には、ＲＥＳＰ値「３０」に加えてＥｔＣＯ２値「３８」が重ねて表示されている。どの波形に、どの計測値を重ねて表示するかは、臨床の場に応じてユーザにより選択設定可能とされる。或いは、どの波形に、どの計測値を重ねて表示するかは、臨床の場に応じて、装置によって関連するパラメータを選択することで設定してもよい。このようにすることで、１つの波形と複数の計測値との関係を一目で把握できるようになるので、医療従事者は患者の容体をより迅速かつ的確に把握することができるようになる。因みに、図５に示したように、１つの波形に複数の計測値を重ねて表示する場合には、表示された計測値が何の計測値かを示すために計測値の近傍に計測値ラベル（例えば「ＨＲ」、「ＢＰ１」、「ＳｐＯ２」、「ＮＩＢＰ」、「ＲＥＳＰ」、「ＥｔＣＯ２」）を表示することが好ましい。
【００４１】
また上述の実施の形態では、本発明を生体情報モニタに適用した場合について述べたが、本発明は生体情報モニタに限らず、波形と計測値とを同一画面に表示する生体情報表示装置に広く適用可能であり、例えば人工呼吸器や麻酔器の表示装置にも適用可能である。
【００４２】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００４３】
本発明は、計測された波形及び計測値を含む画像を同一画面に表示する生体情報表示装置に好適である。
【符号の説明】
【００４４】
１００  生体情報モニタ
１０２  計測処理・アラーム処理部
１０３  計測値算出部
１０４  波形形成部
１０６  表示制御部
１０７  ディスプレイ
【図１】
2017148364.tif 000003
【図２】
2017148364.tif 000004
【図３】
2017148364.tif 000005
【図４】
2017148364.tif 000006
【図５】
2017148364.tif 000007